(57)【要約】【課題】ＴＦＴ基板に、ゲート配線、ソース配線、つなぎ線を効率よく形成し、配線抵抗の増加、および、つなぎ線交差部に生じる容量を抑制でき表示ムラの発生を抑制することの可能な片端子型液晶表示パネルを提供する。【解決手段】ゲート配線３１とソース配線３２を有するＴＦＴ基板の一辺の額縁部にゲート用信号入力端子４４とソース用信号入力端子４５を設けた液晶表示パネルにおいて、ゲート配線３１またはソース配線３１の一方が配線方向の額縁部に設けられた信号入力端子に接続され、他方の配線は前記一方の配線と平行に形成されたつなぎ線に接続され、中継点５１を介してつなぎ線と信号入力端子が接続される。各中継点の間隔を各端子の間隔よりも広く構成される。【選択図】      図１
2004333856.tif 000002
【特許請求の範囲】
【請求項１】
直交するゲート配線とソース配線の交点にＴＦＴを設けたＴＦＴ基板とＣＦ基板との間に液晶を密封し、該ＴＦＴ基板の一辺の額縁部にゲート用信号入力端子とソース用信号入力端子を設けた液晶表示パネルにおいて、
前記ゲート用信号入力端子、ソース用信号入力端子は複数のそれぞれの端子からなる端子群をそれぞれ形成し、
ソース配線またはゲート配線の一方の配線は該配線方向の額縁部に設けられた信号入力端子に接続され、
前記ソース配線またはゲート配線の他方の配線は前記一方の配線と平行に形成されたつなぎ線に接続され、該つなぎ線は、液晶表示パネルの一端から他端まで配線され、その途中箇所で目的の前記他方の配線に接続されたことを特徴とする片端子型液晶表示パネル。
【請求項２】
前記つなぎ線は、信号入力端子との間に形成された中継点に接続され、前記中継点は引き出し配線により信号入力端子に接続されてなり、
隣接する信号入力端子の間隔に対して、前記中継点の間隔を大きくなしたことを特徴とする請求項１記載の片端子型液晶表示パネル。
【請求項３】
前記中継点を境にして配線の線幅が変化することを特徴とする請求項２記載の片端子型液晶表示パネル。
【請求項４】
前記中継点で配線の延設方向が変ることを特徴とする請求項４に記載の片端子型液晶表示パネル。
【請求項５】
複数の画素からなる画素群を縦および横方向に複数形成し、画素群内の画素の間の遮光部の幅よりも画素群の間の遮光部の幅を広く形成した幅広遮光領域を有する液晶表示パネルにおいて、前記画素群内の複数の画素に接続される前記他方の配線に対するつなぎ線を前記幅広遮光領域に形成したことを特徴とする請求項１から４の何れかに記載の片端子型液晶表示パネル。
【請求項６】
前記幅広遮光部には、前記一方の配線の複数本および／または前記他方の配線に対するつなぎ線の複数本を形成したことを特徴とする請求項５に記載の片端子型液晶表示パネル。
【請求項７】
前記つなぎ線はゲート配線と接続していることを特徴とする請求項１から６の何れかに記載の片端子型液晶表示パネル。
【請求項８】
前記ＴＦＴ基板は矩形状をしており、長辺方向に沿って前記ソース配線が形成されていることを特徴とする請求項１から７の何れかに記載の片端子型液晶表示パネル。
【発明の詳細な説明】
【０００１】
【発明の属する技術分野】
本発明は液晶表示パネルに関し、特にその信号入力端子の配置を液晶表示パネルの額縁部の一辺に集めた片端子型の液晶表示パネルにおいて、直交配置されるソース配線とゲート配線の一方の配線は該配線方向の額縁部に設けられた信号入力端子に接続し、他方の配線は前記一方の配線と平行に形成されたつなぎ線に接続した片端子型液晶表示パネルに関するものである。
【０００２】
【従来の技術】
近年、ＡＶ機器として用いられる家庭用のテレビ、ＯＡ機器に用いられる表示装置は、軽量化、薄型化、低消費電力化、高精細化および画面の大型化が要求されている。このため、ＣＲＴ、液晶表示装置（ＬＣＤ）、プラズマ表示装置（ＰＤＰ）、ＥＬ（ｅｌｅｃｔｒｏ  ｌｕｍｉｎｅｓｃｅｎｔ）表示装置、ＬＥＤ（ｌｉｇｈｔ  ｅｍｉｔｔｉｎｇ  ｄｉｓｐｌａｙ）等の表示装置においても大画面化の開発・実用化が進められている。
【０００３】
なかでも液晶表示装置は、他の表示装置に比べ、厚さ（奥行き）が格段に薄くできること、消費電力が小さいこと、フルカラー化が容易なこと等の利点を有するので、近年においては種々の分野で用いられつつあり、画面の大型化への期待も大きい。
【０００４】
ところがその反面、液晶表示装置は、画面の大型化を図ると、製造工程において信号線の断線、画素欠陥等による不良率が急激に高くなり、ひいては液晶表示装置の価格上昇をもたらすといった問題が生じる。そこでこれを解決するために、複数枚の液晶表示パネルを継ぎ合わせて、全体で１台のマルチパネル型の液晶表示装置とすることで、画面の大型化を図ることが行われている。
【０００５】
従来一般的に用いられている液晶表示パネルのマトリクス基板等価回路は図５に示されるようなものである。図５において、走査線であるゲート配線１、信号線であるソース配線２、スイッチング素子である薄膜トランジスタ３（以下ＴＦＴと称す）から構成され、ゲート配線１、ソース配線２は、画素部に外部信号を入力する端子部４（走査線用入力パッド）、端子部５（信号線用入力パッド）にそれぞれ接続されている。
【０００６】
マトリクス基板内では、複数本の走査線であるゲート配線１に直交して複数本の信号線であるソース配線２が配置されており、その交点位置にＴＦＴ３が設けられている。ゲート配線１およびソース配線２は、それぞれ独立にその終端部に走査線用入力パッド４および信号線用入力パッド５が設けられている。
【０００７】
すなわち、図５の液晶表示パネルは、直交するゲート配線１とソース配線２は基板の額縁部（基板の周縁部）の２方向に引き出され、額縁部に形成した端子部４、５に接続された構成になっている。このような液晶表示パネルを貼り合わせて大型の液晶表示装置を構成する場合、図６に示すように、４枚の液晶表示パネル１０Ａ〜１０Ｄをそれぞれの端面を接着剤等により接合する。
【０００８】
従ってこの場合、額縁部１０Ａａおよび１０Ａｂにそれぞれゲート配線を接続する端子部およびソース配線を接続する端子部が形成された液晶表示パネル１０Ａと、額縁部１０Ｂａおよび１０Ｂｂにそれぞれゲート配線を接続する端子部およびソース配線を接続する端子部が形成された液晶表示パネル１０Ｂの、少なくとも２種類の液晶表示パネルを製造する必要が生じる。液晶表示パネル１０Ｃは液晶表示パネル１０Ｂを１８０°回転し、液晶表示パネル１０Ｄは液晶表示パネル１０Ａを１８０°回転して使用すれば上記２種類の液晶表示パネルで大型液晶表示装置が構成できることになる。
【０００９】
このように２種類の液晶表示パネルを必要としない液晶表示パネルの構成が下記の特許文献１に開示されている。図７はこの特許文献１に開示された液晶表示パネルのマトリクス基板等価回路を示す図である。
【００１０】
この液晶表示パネルは、走査線であるゲート配線１ａ、１ｂ、１ｃ、１ｄ、信号線であるソース配線２ａ、２ｂ、２ｃ、２ｄ、ソース配線用引き込み配線２２ａ、２２ｂ、２２ｃ、２２ｄ、スイッチング素子である薄膜トランジスタ３から構成され、ゲート配線１ａ、１ｂ、１ｃ、１ｄ、ソース配線用引き込み配線２２ａ、２２ｂ、２２ｃ、２２ｄが画素部に外部信号を入力する端子部４（走査線用入力パッド）、端子部５（信号線用入力パッド）にそれぞれ接続されている。
【００１１】
図中Ａ、Ｂ、Ｃ、Ｄはソース配線２ａ、２ｂ、２ｃ、２ｄとソース配線用引き込み配線２２ａ、２２ｂ、２２ｃ、２２ｄの各交点をそれぞれ示す。マトリクス基板内では、複数本の走査線であるゲート配線１ａ、１ｂ、１ｃ、１ｄに直交して複数本の信号線であるソース配線２ａ、２ｂ、２ｃ、２ｄが配置され、その交点位置にスイッチング素子であるＴＦＴ３が設けられている。
【００１２】
すなわち、図７に示す液晶表示パネルは、額縁部の一辺側にゲート配線１ａ、１ｂ、１ｃ、１ｄを接続する端子部、および、ソース配線２ａ、２ｂ、２ｃ、２ｄを接続する端子部を形成したものであり、このような液晶表示パネルを貼り合わせて大型の液晶表示装置を構成する場合、図８に示すように、複数枚の液晶表示パネルを端子部のないそれぞれの端面で接合することが可能となる。
【００１３】
図８（ａ）は３枚の液晶表示パネル１０Ｅ〜１０Ｇを、（ｂ）は６枚の液晶表示パネル１０Ｅ〜１０Ｊを貼り合わせたものであり、額縁部１０Ｅａにそれぞれゲート配線を接続する端子部およびソース配線を接続する端子部が形成された液晶表示パネル１０Ｅを製造すれば足りることになる。図８（ｂ）の場合、液晶表示パネル１０Ｈ〜１０Ｊは液晶表示パネル１０Ｅを１８０°回転して使用すればよい。このようにパネルの一辺の額縁部に端子部を集めた構造の液晶表示パネルを本願においては片端子型の液晶表示パネルと称する。
【００１４】
一方、液晶パネルを継ぎ合わせた表示装置の場合、映像を表示した際に継ぎ目部分が目立ってしまい、観察者に違和感を与えてしまうという問題がある。この継ぎ目部分が目立ってしまうという問題を解決するものとして、複数の液晶パネルを継ぎ合わせる際に継ぎ合わせる側における遮光部の幅を通常よりも狭くしたものが知られている。
【００１５】
本願の発明者は、画素の大きさを変化させずとも液晶パネル同士の継ぎ目が目立たず、また表示品位の高い液晶表示装置を得る目的で、既に特願２０００２−２１５３９３号の発明についての特許出願を行っている。
【００１６】
この特願２００２−２１５３９３号（以下、「先願１」という。）に開示された発明は、液晶パネルを横方向へ継ぎ合わせた液晶表示装置において、一対の基板を貼り合せてなる前記液晶パネルは縦方向に伸びる複数の画素列を形成すると共に、前記画素列の周りに遮光部を形成しており、隣り合う前記画素列が前記遮光部の幅を狭めるように接近してなる画素列群が、前記液晶パネル全体にわたって複数形成されており、隣り合う前記画素列群の間の前記遮光部の幅は、前記画素列群における前記画素列の間の前記遮光部の幅より広くなっていることを特徴とするものである。
【００１７】
この先願１の液晶表示パネルを図９を用いて詳細に説明すると、次のとおりである。図９はこの先願１の大型液晶表示パネル１０の中心付近を拡大した平面図を示している。大型液晶表示パネルは具体杓には対角８０インチのものであり、対角４０インチの液晶表示パネル１１を４枚継ぎ合わせて造られている。隣り合う液晶表示パネル１１とは液晶表示パネル１１の互いの接続側面１１’において接着剤等で接続されている。ここで縦方向の接続側面１１’を１１’ｘ、横方向の接続側面１１’を１１’ｙとする。
【００１８】
各液晶表示パネル１１は一対の透明基板をシール材によって貼り合わせ、両基板間に液晶を注入して造られたものである。各液晶表示パネル１１にはＲ（赤）、Ｇ（緑）、Ｂ（青）のカラーフィルタを備えた３つのサブ画素（図示せず）により構成されている表示上の画素部１２が複数形成されているとともに、画素部１２の周りを囲んでブラックマトリクスからなる遮光部１３が形成されている。大型液晶表示パネル１０の背後に配置されるバックライト（図示せず）からの光はこの画素部１２を通過するとともに、この遮光部１３において遮断される。遮光部１３は一般にブラックマトリクス（以下単にＢＭという）と称され、前記のゲート配線、ソース配線等はこのＢＭ部に形成される。
【００１９】
接続側面１１’ｘと平行に伸びる画素部１２の列を画素列Ｘｎ、この例ではＸｎはＸ１、Ｘ２、・・・、Ｘ６４０（ｎ＝６４０）とし、接続側面１１’ｘに最も近い画素列をＸ１、接続側面１１’ｘから最も遠い画素列をＸ６４０とする。
【００２０】
この先願１に開示された発明においては隣り合う数画素列が近寄ることによりその間の遮光部１３の幅が狭くなっているものと、隣り合う画素列が離れることによりその間の遮光部１３の幅が広くなっているものとがある。そしてこの接近した画素列により画素列群が形成されている。具体的には隣り合う画素列が２つずつ接近し、パネル全体にわたって画素列群Ｘ’ｉ、本例においてＸ’ｉはＸ’１、Ｘ’２、・・・、Ｘ’３２０（ｉ＝３２０）が形成されている。なお画素列群Ｘ’１は画素列Ｘ１とＸ２、画素列群Ｘ’２は画素列Ｘ３とＸ４、そしてＸ’３２０はＸ６３９とＸ６４０からというようになっている。
【００２１】
このように隣り合ういくつかの画素列が接近し、画素列群を形成することで、液晶パネル１１を継ぎ合わせた際の継ぎ目部分の幅をある程度確保すると共に、継ぎ目部分を目立ち難くすることが可能となる。
【００２２】
【特許文献１】
特開平１０−７８７６１号公報（図１）
【００２３】
【発明が解決しようとする課題】
一般に特許文献１に開示されるような片端子型の液晶表示パネルにおいてマトリクス状に直交して形成されたソース配線とゲート配線をパネルの一辺側の額縁部に形成した入力端子に接続する方法としては、特許文献１、すなわち、図７に示される内つなぎによる方法と、図１０の配線模式図に示す外引き回しによる方法の２通りの方法がある。
【００２４】
図７に示す内つなぎによる方法は、ゲート配線１ａ〜１ｄはその配線方向に形成された入力端子４に直接接続し、ゲート配線１ａ〜１ｄと直交するソース配線２ａ〜２ｄは、各入力端子５から目的とするソース配線２ａ〜２ｄまでをゲート配線と平行な引き出し線２２ａ〜２２ｄによって接続するものであり、図１０に示す外引き回しによる方法は、ゲート配線１は配線方向に形成された入力端子４に直接接続し、ソース配線２は一旦ゲート配線１と直交する側の額縁部にひきだされ、引き回し線２’を額縁部に配線して入力端子４（ゲート側）が形成された額縁部に形成された入力端子５と接続するものである。
【００２５】
片端子型の液晶表示パネルにおいて、図１０の外引き回しによる接続方法では額縁部を広く必要とするため表示領域が制約を受けるという問題点があり、図７の内つなぎによる接続方法が好ましい。
【００２６】
しかしながら、このような内つなぎによる接続方法の場合、ソース配線用引き込み線２２ａ〜２２ｄがソース配線２ａ〜２ｄとの接続点Ａ〜Ｄまでしか形成されていないため、引き込み配線２２ａ〜２２ｄの長さがそれぞれ異なり、接続点以降において引き込み線の有無の分だけ膜厚が変化し、表示ムラが発生する原因になる。
【００２７】
また、ゲート配線１ａ〜１ｄ、ソース配線２ａ〜２ｄの他につなぎ線２２ａ〜２２ｄを配線するため配線数が多くなる結果、画素間のＢＭ部にそれぞれの配線を形成することが困難になる点である。特に、図９に示すような画素群間の幅の広いＢＭ部と画素群のなかの画素間の幅の狭いＢＭ部を有する構成の液晶表示パネルの場合、幅の狭いＢＭ部への配線には制約が生じるために配線を収容しきれないという点である。
【００２８】
本発明は、上記の問題点を解消することを課題とし、表示ムラの発生を抑制し、また、ＴＦＴ基板に、ゲート配線、ソース配線、つなぎ線を効率よく形成することの可能な片端子型液晶表示パネルを提供することを目的とするものである。
【００２９】
【課題を解決するための手段】
上記本発明の目的は以下の構成により達成することができる。すなわち、本発明に係る片端子型液晶表示パネルは、直交するゲート配線とソース配線の交点にＴＦＴを設けたＴＦＴ基板とＣＦ基板との間に液晶を密封し、該ＴＦＴ基板の一辺の額縁部にゲート用信号入力端子とソース用信号入力端子を設けた液晶表示パネルにおいて、前記ゲート用信号入力端子、ソース用信号入力端子は複数のそれぞれの端子からなる端子群をそれぞれ形成し、ソース配線またはゲート配線の一方の配線は該配線方向の額縁部に設けられた信号入力端子に接続され、前記ソース配線またはゲート配線の他方の配線は前記一方の配線と平行に形成されたつなぎ線に接続され、該つなぎ線は、液晶表示パネルの一端から他端まで配線され、その途中箇所で目的の前記他方の配線に接続されたことを特徴とする。
【００３０】
係る構成によれば、ソース配線またはゲート配線に接続されるつなぎ線は、液晶表示パネルの一端から他端まで配線され、その途中の接続点で目的とするソース配線またはゲート配線に接続されるため、膜厚の均等性を確保することができ、配線の有無による画素周辺付近での表示ムラが軽減される。
【００３１】
また、前記つなぎ線は、信号入力端子との間に形成された中継点に接続され、前記中継点は引き出し配線により信号入力端子に接続されてなり、隣接する信号入力端子の間隔に対して、前記中継点の間隔を大きくなしたことを特徴とする。そして前記中継点を境にして配線の線幅が変化しており、また、前記中継点で配線の延設方向が変化する。
【００３２】
係る構成によれば、中継点の間隔を信号入力端子の各端子の間隔より拡大して形成したため、引き出し線、引き回し線の線幅を太くして配線抵抗を減少することができる。
【００３３】
更に、本発明に係る片端子型液晶表示パネルは、複数の画素からなる画素群を縦および横方向に複数形成し、画素群内の画素の間の遮光部の幅よりも画素群の間の遮光部の幅を広く形成した幅広遮光領域を有する液晶表示パネルにおいて、前記画素群内の複数の画素に接続される前記他方の配線に対するつなぎ線を前記幅広遮光領域に形成したことを特徴とする。更にまた、別の態様によれば、前記幅広遮光部には、前記一方の配線の複数本および／または前記他方の配線に対するつなぎ線の複数本を形成したことを特徴とする。
【００３４】
係る構成によれば、マトリクス内に形成するソース配線、ゲート配線、ゲートつなぎ線の各配線の数が多くても、幅広ＢＭ領域に複数本の配線をまとめて形成することができ、複数の液晶表示パネルを貼り合わせて大型表示パネルとする場合に好適である。
【００３５】
【発明の実施の形態】
以下、本発明に係る片端子型液晶表示パネルの実施の形態について添付の図面を参照して詳細に説明する。以下の説明において、複数の同一要素には同一の参照符号を付して説明する。図１は本発明の基本的構成を概念的に示す模式図である。図１において、本発明に係る片端子型液晶表示パネル３０は、矩形状のガラス基板上に直交して形成されたゲート配線３１（図１において二点鎖線で示す）とソース配線３２、及び、ソース配線３２と平行に形成されていて各接続点５３でそれぞれのゲート配線３１に接続されるゲートつなぎ線３３（図１において破線で示す）を有するＴＦＴ基板４０を主要な要素としている。このようにつなぎ線をゲート配線３１に対して接続することにより、ソース配線３２に対しては直接信号を流すことができる。ゲート配線３１については接続されるＴＦＴをＯＮにするような一定以上の信号を流せばよいが、ソース配線３２については接続するＴＦＴに対応した画素に応じた信号を流す必要がある。したがって配線抵抗の影響をできるだけ抑えた方がよいため、つなぎ線を介さないで直接信号を流した方がよい。
【００３６】
ＴＦＴ基板４０は通常の表示パネルで見うけられる長辺方向に沿ってゲート配線が形成されるものとは若干異なり、短辺方向に沿ってゲート配線３１が形成されている。したがってソース配線３２は長辺方向に沿って形成される。そしてＴＦＴ基板上にはゲート配線３１が６４０本、ソース配線３２が３８４（×ＲＧＢ）、つまり１１５２本形成されている。このＴＦＴ基板４０の上部に図示しないＣＦ基板（カラーフィルタ基板）が配置されその間に液晶素子が適宜のシール材により密封されて液晶表示パネル３０が構成される。各画素と配線の関係については後述する。
【００３７】
ＴＦＴ基板４０は、ゲート配線３１とソース配線３２およびゲートつなぎ線３３がマトリクス状に形成されるマトリクス部４２と、各配線を引き出して信号入力端子に接続する領域となる額縁部４１を有する。額縁部４１はソース配線３２の端部が位置するＴＦＴ基板４０の短辺側に形成されている。そして額縁部４１の端部にはゲート配線用の信号入力端子４４とソース配線用の信号入力端子４５が形成されている。このゲート配線用の信号入力端子４４或いはソース配線用の信号入力端子４５は、例えば３２０個の信号入力端子４４に対してゲート用駆動ドライバが一つ接続され、３８４個の信号入力端子４５に対してソース用駆動ドライバが一つ接続される。
【００３８】
したがってこの場合信号入力端子４４と接続するゲート用駆動ドライバは二つで、信号入力端子４５と接続するソース用駆動ドライバは三つである。つまり信号入力端子４４、４５はそれぞれが複数集まって端子群を形成し、それぞれ端子専用の駆動ドライバが接続される。また、短辺側に各信号入力端子を設けた方が、短辺側に向かって伸びるつなぎ線の本数は少なくてすむため、つなぎ線と、このつなぎ線と直交して伸びる配線との接続部分の数も少なくてすむため、コンタクト不良が発生する恐れが少なくてすむ。つまりゲート配線３１とゲートつなぎ線３３との接続点５３が少ない分だけその部分での接続不良の発生する恐れは減ることになる。
【００３９】
ゲート配線３１は接続点５３でゲートつなぎ線３３に接続され、ゲート引き回し線３６を介して中継点５１に接続される。中継点５１と信号入力端子４４との間はゲート引き出し線３５によって接続されている。そしてソース配線３２はソース引き回し線３８を介して中継点５２に接続される。中継点５２と信号入力端子４５との間はソース引き出し線３７によって接続されている。なおここで言う中継点５１、５２とは、例えばゲート引き回し線３６とゲート引き出し線３５とが接している箇所のことであり、この中継点５１で配線が任意の方向に屈折し、その延設方向が変化する箇所である。またこの中継点５１を境にしてゲート引き回し線３６とゲート引き出し線３５の線幅が変化している。
【００４０】
中継点５１の群および中継点５２の群の間隔は、図中矢印で示すように、ゲート用の信号入力端子４４の群およびソース用の信号入力端子４５の群の間隔より広く形成されている。
【００４１】
本発明のような片端子型の液晶表示パネルの場合には、ゲートつなぎ線３３からの伸びるゲート引き回し線３６と、ソース配線３２から伸びるソース引き回し線３８とが額縁部４１で立体的に交差するため、この交差箇所において容量が形成されてしまう。本実施形態においては、前述のように中継点５１の群、５２の群の間隔を信号入力端子４５、４４の各端子の間隔より拡大して形成したため、引き出し線や引き回し線の線幅を太くして配線抵抗を減少することができ、また反対に交差箇所においては配線幅を狭くして交差面積を小さくすることで容量を減らすことができる。また配線間の間隔が確保できるため、配線抵抗を考慮した配線設計を行う際、それだけ設計のマージンをとることができる。
【００４２】
またマトリクス部４２においてはゲート配線３１とゲートつなぎ線３３とが立体的に交差する部分において容量が形成されてしまう。したがってこの部分において交差部に介在する絶縁膜の膜厚を厚くしたり、ａ−Ｓｉ等をパターニングして生じる容量を減らすようにしてもよい。
【００４３】
図２は図１のＴＦＴ基板４０の画素開口の構成を模式的に示す図である。１つの画素６５はＲ、Ｇ、Ｂの３つのサブ画素により構成され、４画素で１つの画素群を構成している。そしてこの４画素づつの画素群がマトリクス状に配置されている。各画素群の間に設けられるＢＭ（遮光部）は、画素群の中の４つの画素６５の間に設けられた幅の狭いＢＭ領域６３と、画素群間に設けられたやや幅の広い第１の幅広ＢＭ領域６１と、画素群４つ毎にその間に設けられた幅広ＢＭ領域６１よりも更に幅の広い第２の幅広ＢＭ領域６２からなる。この画素開口の構成は、図１０に示した先願１の大型液晶表示パネルの画素開口の構成の考え方に基づくものである。
【００４４】
第１の幅広ＢＭ領域６１と第２の幅広ＢＭ領域６２にはそのＢＭ領域の上下、左右に配置された複数の画素６５に対する複数のソース配線３２およびゲート配線３１およびゲートつなぎ線３３（図１参照）が形成されている。図２の点線ＡＡで示す部分を拡大してこれらの配線の構成を示した図が図３である。
【００４５】
図３において、第２の幅広ＢＭ領域６２にはゲートつなぎ線３３が４本、その両側にソース配線３２がそれぞれ３本ずつ形成され、第１の幅広ＢＭ領域６１にはソース配線３２が６本形成される。幅の狭いＢＭ領域６３には一本のコモン線３４が形成されている。点線ＢＢで示す領域に代表するようにコモン線３４が十字状に形成された部分の４方に画素６５がそれぞれ形成されている。縦方向のＢＭ領域についてみると、第１の幅広ＢＭ領域６１と第２の幅広ＢＭ領域６２にそれぞれ２本ずつのゲート配線３１が形成されている。
【００４６】
従って、マトリクス内に形成するソース配線３２、ゲート配線３１、ゲートつなぎ線３３の各配線の数が多くても、幅広ＢＭ領域６１、６２に複数本の配線をまとめて形成することができる。
【００４７】
以下の説明において、複数の同一要素のうち特定の個々の要素を参照する場合、該当要素の参照符号にａ、ｂ等のアルファベットを付して図示および説明を行う。例えば、ソース配線３２のうち、特定のソース配線を参照する場合は、ソース配線３２ａ、ソース配線３２ｂのように表記し、図にその参照符号を表記する。
【００４８】
図３の点線ＢＢで示す領域を拡大して各配線と画素の接続関係を示した図が図４である。図４において、各画素６５は通常の液晶表示パネルと同様にＲ、Ｇ、Ｂで示す３つのサブ画素から構成されサブ画素毎にＴＦＴ６６が形成され、隣接する４つの画素６５により画素群が構成され（図２ＡＡ、図３ＢＢ参照）、４つの画素群が図示されている。左上の画素群に注目すると、上側の２つの画素６５ａ、６５ｂの各サブ画素Ｒ、Ｇ、Ｂに形成された各ＴＦＴ６６のソースは上側の３本のソース配線３２ａ〜３２ｃにそれぞれ接続され、下側の２つの画素６５ｃ、６５ｄの各サブ画素Ｒ、Ｇ、Ｂに形成された各ＴＦＴ６６のソースは下側の３本のソース配線３２ｄ〜３２ｆにそれぞれ接続されている。なお、図４において、図３のＢＢ領域の下部の２本のゲートつなぎ線３３は図示を省略している。
【００４９】
左側の２つの画素６５ａ、６５ｃの各サブ画素Ｒ、Ｇ、Ｂに形成された各ＴＦＴ６６のゲートは左側のゲート配線３１ａにそれぞれ接続され、右側の２つの画素６５ｂ、６５ｄの各サブ画素Ｒ、Ｇ、Ｂに形成された各ＴＦＴ６６のゲートは右側のゲート配線３１ｂにそれぞれ接続されている。
【００５０】
従って、ゲート配線３１ａが選択されると、ゲート配線３１ａに沿って配置されている画素６５ａがソース配線３２ａ〜３２ｃからの信号により駆動し、同様に画素６５ｃがソース配線３２ｄ〜３２ｆからの信号により駆動する。またゲート配線３１ｂが選択されると、ゲート配線３１ｂに沿って配置されている画素６５ｂ、６５ｄがソース配線３２ａ〜３２ｆからの信号によって駆動する。
【００５１】
このようにして画素群の左右のゲート配線３１ａ、３１ｂと画素群の上下に形成された各３本のソース配線３２ａ〜３２ｃ、３２ｄ〜３２ｆによって画素６５ａ〜６５ｄが選択されてアクティブになる。ゲート配線３１ａ、３１ｂ、３１ｃ、３１ｄは４つの画素群の上下に形成された各々のゲートつなぎ線３３ａ、３３ｂ、３３ｃ、３３ｄにそれぞれ接続されている。なお例えばゲート配線３１ａは必ずしもゲートつなぎ線３３ａに接続されているわけではなく、図示されていない他のゲートつなぎ線に接続されている場合もある。つまり各ゲート線３１はそのゲート線３１の本数だけ形成されているゲートつなぎ線３３の何れかに、ゲート配線３１とゲートつなぎ線３３との何れかの交差部で一箇所接続されていればよい。
【００５２】
ゲートつなぎ線３３は、本来は、ゲート用信号入力端子４４から目的とする（接続すべき）ゲート配線３１との接続点まで配線すれば足りるのであるが、本実施形態においては、図１に示すように、ゲートつなぎ線３３は、液晶表示パネルの一端から他端まで配線され、その途中の接続点５３で目的とするゲート配線３１に接続されている。したがってそれぞれの画素の周辺においてつなぎ線３３の有無による膜厚の変化はなく、接続点５３を過ぎても膜厚の均等性が保たれ、画素周辺での表示への影響を抑えることができる。またソース配線３２、ゲートつなぎ線３３と、対向電極との間で液晶分子が駆動した際の影響が画素に及んだとしても、液晶パネル全体で膜厚の均等性が保たれているため、液晶パネル全体で均一化される。このようなことにより液晶パネルにおける表示ムラの発生を抑えることができる。
【００５３】
以上の実施形態においては、ゲート配線３１をゲートつなぎ線３３によってソース配線と同方向に引き出す構成を例に説明したが、本発明はこれに限定されるものではなく、ソース配線３２をソースつなぎ線によってゲート配線３１と同方向にひき出す構成であってもよい。
【００５４】
【発明の効果】
以上、詳細に説明したように、本発明に係る片端子型液晶表示パネルによれば、ソース配線またはゲート配線に接続されるつなぎ線は、液晶表示パネルの一端から他端まで配線され、その途中の接続点で目的とするソース配線またはゲート配線に接続されるため、膜厚が均等に保たれ、表示ムラを軽減することができる。
【００５５】
また、中継点５１の群、５２の群の間隔を信号入力端子４５、４４の各端子の間隔より拡大して形成したため、額縁部４１において引き出し線、引き回し線の線幅を太くしたりして配線抵抗を減少することができる。
【００５６】
更に、マトリクス内に形成するソース配線３２、ゲート配線３１、ゲートつなぎ線３３の各配線の数が多くても、幅広ＢＭ領域６１、６２に複数本の配線をまとめて形成することができる。
【図面の簡単な説明】
【図１】本発明に係る片端子型液晶表示パネルの基本的な構成を示す模式図である。
【図２】片端子型液晶表示パネルの画素開口の構成を示す図である。
【図３】図２のＡＡ部における遮光部（ＢＭ）に形成される配線の構成を示す部分拡大図である。
【図４】図３のＢＢ部における画素に対する配線構造を示す部分拡大図である。
【図５】従来の両端子型液晶表示バネルのマトリクス基板を示す等価回路図である。
【図６】図５の液晶表示パネルを貼り合わせた大型パネルを示す模式図である。
【図７】従来の片端子型液晶表示パネルのマトリクス基板を示す等価回路図である。
【図８】片端子型液晶表示パネルを貼り合わせた大型パネルを示す模式図である。
【図９】先願１の大型液晶表示パネルの画素構成を示す模式図である。
【図１０】従来の片端子型液晶表示パネルの配線引き回しの一例を示す模式図である。
【符号の説明】
３０…片端子型液晶表示パネル
３１…ゲート配線
３２…ソース配線
３３…つなぎ線（ゲートつなぎ線）
３５…引き込み線（ゲート引き込み線）
３６…引き回し線（ゲート引き回し線）
３７…引き込み線（ソース引き込み線）
３８…引き回し線（ソース引き回し線）
４０…ＴＦＴ基板
４１…額縁部
４２…マトリクス部
４４…信号入力端子（ゲート用信号入力端子）
４５…信号入力端子（ソース用信号入力端子）
５１…中継点（ゲート中継点）
５２…中継点（ソース中継点）
５３…接続点（ゲート配線接続点）
６５…画素
６１…第１の幅広ＢＭ領域
６２…第２の幅広ＢＭ領域
６３…幅の狭いＢＭ領域
Ｒ、Ｇ、Ｂ…サブ画素
【図１】
2004333856.tif 000003
【図２】
2004333856.tif 000004
【図３】
2004333856.tif 000005
【図４】
2004333856.tif 000006
【図５】
2004333856.tif 000007
【図６】
2004333856.tif 000008
【図７】
2004333856.tif 000009
【図８】
2004333856.tif 000010
【図９】
2004333856.tif 000011
【図１０】
2004333856.tif 000012